(57)【要約】【課題】  回転式ミクロトームおよび回転式ミクロトームの収集エレメントを提供する。【解決手段】  ミクロトーム筐体（４）とナイフホルダ（６）が配置された基部（２）を有する回転式ミクロトーム（１）が開示されている。ナイフホルダを３辺で囲む、Ｕ形基部外形を有する収集エレメント（８）も提供される。ナイフホルダと連関している数本のクランプレバーも提供されており、ナイフホルダの少なくとも１本のクランプレバーは第１または第２の外側側壁（１８ａ、１８ｂ）に操作可能に配置されている。さらに、収集エレメント（８）の底部（１２）には上に隆起部（２２）が成形されており、その下でクランプレバー（１０ｃ）からナイフホルダまで機械的な結合が誘導されている。【選択図】      図１
2004317508.tif 000002
【特許請求の範囲】
【請求項１】
ミクロトーム筐体とナイフホルダが上に配置された基部と、前記ナイフホルダの３辺を囲む収集エレメントとを含み、前記収集エレメントは底部、第１および第２の内側側壁、前壁、ならびに第１および第２の外側側壁により画定されており、数本のクランプレバーが前記ナイフホルダと結合している回転式ミクロトームであって、
前記ナイフホルダの少なくとも１本のクランプレバーが前記第１または第２の外側側壁に操作可能に配置されていて、前記クランプレバーから前記ナイフホルダまで前記収集エレメントの底部の下で機械的な結合が誘導されていることを特徴とする回転式ミクロトーム。
【請求項２】
前記収集エレメントがＵ形の基部外形を有する受け皿であり、前記第１および第２の外側側壁が、外側前壁により互いに接合されていて、前記受け皿が前記ナイフホルダの３辺を囲んでおり、前記第１および第２の内側側壁が内側前壁により接合されている請求項１に記載の回転式ミクロトーム。
【請求項３】
前記収集エレメントの前記底部には上に隆起部が成形されており、その下で前記クランプレバーから前記ナイフホルダまで前記機械的な結合が誘導されている請求項１および２に記載の回転式ミクロトーム。
【請求項４】
前記ナイフホルダが、ナイフ支持エレメントおよび前記ナイフ支持エレメントに設けられたナイフの無制限角度調整を可能とする六角ソケットねじを備えている請求項１に記載の回転式ミクロトーム。
【請求項５】
前記収集エレメントが一体型で実現されている請求項１に記載の回転式ミクロトーム。
【請求項６】
前記第１および第２の内側側壁、前記第１および第２の外側側壁、ならびに前記前壁が、前記収集エレメントの前記底部とフィレットで接している請求項１に記載の回転式ミクロトーム。
【請求項７】
前記第１および第２の内側側壁、前記第１および第２の外側側壁、前記内側前壁、ならびに前記外側前壁が前記収集エレメントの前記底部とフィレットで接している請求項２に記載の回転式ミクロトーム。
【請求項８】
前記第１の外側側壁、前記第２の外側側壁、および前記前壁がそれぞれフィレットにより互いに接合されている請求項１に記載の回転式ミクロトーム。
【請求項９】
収集エレメントが３辺を囲むナイフホルダを含む回転式ミクロトームの収集エレメントであって、前記収集エレメントは底部、第１および第２の内側側壁、前壁、ならびに第１および第２の外側側壁により画定されている収集エレメントにおいて、
機械的な結合が、前記収集エレメントの前記底部の下で誘導されており、前記機械的な結合によって、前記第１または第２の外側側壁に配置された少なくとも１つのクランプレバーから前記ナイフホルダまで機械的な連結を与えることを特徴とする収集エレメント。
【請求項１０】
前記収集エレメントがＵ形の基部外形を有する受け皿であり、前記第１および第２の外側側壁が、外側前壁により互いに接合されていて、前記受け皿が前記ナイフホルダの３辺を囲んでいる請求項１０に記載の収集エレメント。
【請求項１１】
前記収集エレメントの前記底部には上に隆起部が成形されており、その下で前記クランプレバーから前記ナイフホルダまで前記機械的な結合が誘導されている請求項１０に記載の収集エレメント。
【請求項１２】
前記収集エレメントが一体型で実現されている請求項１４に記載の収集エレメント。
【請求項１３】
前記収集エレメントがプラスチックで製造されている請求項１２に記載の収集エレメント。
【請求項１４】
前記第１および第２の内側側壁、前記第１および第２の外側側壁、ならびに前記前壁が、前記収集エレメントの前記底部とフィレットで接している請求項１０に記載の収集エレメント。
【請求項１５】
ミクロトーム筐体とナイフホルダが上に配置された基部と、前記ナイフホルダの３辺を囲む収集エレメントとを含み、前記収集エレメントは底部、第１および第２の内側側壁、内側前壁および外側前壁、ならびに第１および第２の外側側壁により画定されており、数本のクランプレバーが前記ナイフホルダと結合している回転式ミクロトームであって、
前記ナイフホルダの少なくとも１本のクランプレバーが前記第１または第２の外側側壁に操作可能に配置されていて、前記クランプレバーから前記ナイフホルダまで前記収集エレメントの底部の下で機械的な結合が誘導されていることを特徴とする回転式ミクロトーム。
【請求項１６】
収集エレメントが３辺を囲むナイフホルダを含む回転式ミクロトームの収集エレメントであって、前記収集エレメントは底部、第１および第２の内側側壁、内側前壁および外側前壁、ならびに第１および第２の外側側壁により画定されている収集エレメントにおいて、
機械的な結合が、前記収集エレメントの前記底部の下で誘導されており、前記機械的な結合によって、前記第１または第２の外側側壁に配置された少なくとも１つのクランプレバーから前記ナイフホルダまで機械的な連結を与えることを特徴とする収集エレメント。
【発明の詳細な説明】
【技術分野】
【０００１】
本発明は回転式ミクロトームに関する。特に、本発明は、ミクロトーム筐体とナイフホルダが上に配置された基部を有する回転式ミクロトームに関する。底部、第１および第２の内側側壁、前壁、ならびに第１および第２の外側側壁から構成されており、ナイフホルダを３辺で囲む収集エレメントも提供される。数本のクランプレバーがナイフホルダと連関している。
【０００２】
本発明はさらに、３辺で収集エレメントを囲むナイフホルダを有する、回転式ミクロトームの収集エレメントに関する。収集エレメントは、底部、第１および第２の内側側壁、前壁ならびに第１および第２の外側側壁を備えている。
【背景技術】
【０００３】
ミクロム社（Ｍｉｋｒｏｍ  ｃｏｍｐａｎｙ）のシリーズＨＭ３４０ＩおよびシリーズＨＭ３５５およびＨＭ３６０回転ミクロトームは、大容量の切片収集受け皿を備えている。切片収集受け皿は、回転式ミクロトームの基部外形よりかなり幅の広い基部外形を有している。切片収集受け皿には傾斜のついた外側表面があり、これは使用者のアームレストとして機能する。ナイフホルダは、ナイフを締め付け、調整するための複数のクランプレバーを備えている。ただし、ナイフホルダに配置された複数のクランプレバーは、過剰の薄切片により切断中に汚染される可能性があるため、不具合がある。傾斜のついたアームレストを有する切片収集受け皿にはさらに、実験用ベンチに広い設置スペースが必要であり、コンパクトな設置を必要とするルーチン分析を行う実験施設にとって不利である。
【０００４】
さらに、回転式ミクロトームは特許文献１に開示されている。回転式ミクロトームは、ミクロトーム筐体とナイフホルダが上に配置された基部を備えている。薄片試料の薄片を受けるための受け皿が設けられ、受け皿は、互いに間隔を空けて配置された２つの側部と、側部を接合する前部とを有しており、これらによってＵ形基部領域を有する受け皿が形成されている。Ｕ形基部領域を有する受け皿は、３片でナイフホルダを囲むように構成されており、側部の外側は、ミクロトーム筐体と少なくともほぼ面一で終わっている。回転式ミクロトームの設置に必要なスペースを最小限まで縮小しても、ナイフホルダは、複数の締め付け部分を備えており、回転式ミクロトーム利用の際に薄片により汚染される可能性がある。これには、回転式ミクロトームおよび回転式ミクロトームに設けられた切片収集受け皿を清浄にするための経費の増大を伴う。
【特許文献１】独国特許発明第ＤＥ  ４２  ０５  ２５７  Ｃ２号明細書
【特許文献２】欧州特許出願公開第ＥＰ  ０  ９３７  ９７５  Ａ２号明細書
【非特許文献１】Ｂｒｏｃｈｕｒｅ Ｆｒｏｍ  ＭＩＣＲＯＭ  「Ｄｅｒ  ｎｅｕｅ  Ｓｔａｎｄａｒｄ  ｉｎｎｏｖａｔｉｖｅｒ  Ｍｉｋｒｏｔｏｍｔｅｃｈｎｉｋ」（１９９６），Ｓ．１，２
【発明の開示】
【発明が解決しようとする課題】
【０００５】
本発明の目的は、容易に清浄にでき、清浄にする必要のあるエレメントの数が少ない回転式ミクロトームを作製することである。
【０００６】
上述の目的は、請求項１の特徴を備えた回転式ミクロトームにより達成される。
【０００７】
本発明の他の目的は、回転式ミクロトームの機械的エレメントの汚染を減じるように構成された回転式ミクロトームの収集エレメントを作製することである。
【０００８】
上述の目的は、請求項９の特徴を備えた回転式ミクロトームにより達成される。
【０００９】
本発明の利点は、ミクロトームで切断しながら、廃棄物や切片を収集するために、ナイフホルダの少なくとも１つのクランプレバーが、収集エレメントの第１および第２の外側側壁に配置されているということである。収集エレメントの底部には上に隆起部が成形されており、その下でクランプレバーからナイフホルダまで機械的な結合が誘導されている。本発明の構成は、ナイフホルダに直接配置されたクランプレバーの数を減じることによって、例えば、試料の交換時のナイフホルダの清浄化を大幅に簡素化できる。
【００１０】
収集エレメントが、Ｕ形基部外形を有する受け皿として実現されると、さらに利点がある。第１および第２の外側側壁は、この文脈では、外側の前壁によって互いに接合されており、受け皿が３片でナイフホルダを囲んでいる。
【００１１】
収集エレメントが、第１および第２の内側側壁、内側前壁、ならびに第１および第２の外側側壁を備えていることがさらに利点をもたらす。収集エレメントは、片側が開いた筐体であり、ミクロトーム筐体の基部の逆に傾斜を有する底部により閉じられる。収集エレメントは、底部、第１および第２の内側側壁、内側前壁、ならびに第１および第２の外側側壁がそれぞれ互いに接して、フィレットを形成するように構成すると有利である。フィレットの結果として、切片が蓄積して、試料交換の際の収集エレメントの効率のよい清浄化や通常の清浄化を難しくする角部が収集エレメントの内部には形成されない。
【００１２】
ナイフホルダが、ナイフ支持エレメントおよびナイフ支持エレメントに設けられたナイフの無制限角度調整を可能とする六角ソケットねじを備えているとさらに有利である。このように六角ソケットねじ設けられていると、ナイフホルダに直接設けられたクランプレバーの数をやはり減らし、これはまた、ナイフホルダの清浄化特性に有利に働く。
【００１３】
本発明によれば、収集エレメントは、第１および第２の外側側壁がミクロトーム筐体に段差を形成しないように構成される。使用者が誤って段差にあたることはなく、収集エレメントをミクロトーム筐体から分離することができる。収集エレメントおよびミクロトーム筐体は、収集エレメントとミクロトーム筐体を互いに着脱可能に接合するために、相互作用する対応のエレメントを有している。
【００１４】
本発明の更なる有利な実施形態は、従属請求項により推測される。
【００１５】
本発明の構成要素は図面に概略で示してあり、図面を参照して以下に説明する。
【発明を実施するための最良の形態】
【００１６】
図１は、回転式ミクロトーム１の斜視図である。回転式ミクロトーム１は、実質的に、基部２と基部に設けられたミクロトーム筐体４とを備えている。ナイフホルダ６は基部２に配置されている。ミクロトーム筐体４のナイフホルダ６に対向して設けられているのは、ミクロトーム筐体４に設けられたハンドル５により上下に動かすことのできる試料ホルダ７である。ナイフホルダ６と試料ホルダ７は、互いに逆に配置されている。基部２に設けられているのは、２つのレールエレメント９であり、試料ホルダ７に対する空間に関してナイフホルダ６は移動可能である。ナイフホルダ６は収集エレメント８に囲まれている。収集エレメント８はＵ形であり、ミクロトーム筐体４と基部２に段差なく接している。ナイフホルダ６に配置されているのは、六角ソケットねじ２５により固定できるナイフ支持エレメント２６である。ナイフホルダ６は、ナイフ支持エレメントの凹曲面と相互作用する凸曲面を有している。ナイフホルダ６は、ナイフ支持エレメントの凸曲面上で無制限に動くことができ、各角位置は、六角ソケットねじ２５を用いて適所に留められる。これはまた、ナイフ支持エレメント２６に設けられたナイフ２７の無制限の角度調整も可能にする。ナイフキャリッジ２８がナイフ支持エレメント２６に設けられ、ナイフ支持エレメント２６に装着された第１のクランプレバー１０ａがナイフキャリッジ２８を留めて固定するように機能する。ナイフを留める役目の第２のクランプレバー１０ｂがナイフキャリッジ２８に設けられている。第３のクランプレバー１０ｃを収集エレメント８の側壁に設けると、これが機械的な結合２４を介してナイフホルダ６と相互作用する。ナイフホルダ６は、第３のクランプレバー１０ｃによって基部２に対して留められている。
【００１７】
図２に、回転式ミクロトーム１の平面図を示す。図１で既に述べたように、基部２に装着されたナイフホルダ６は、Ｕ形収集エレメント８に囲まれている。ナイフホルダ６は、試料ホルダ７からの距離に関して２つの平行なレールエレメント９上で調整可能である。図２から明らかなように、収集エレメント８は、側壁１８ａおよび側壁１８ｂで、ミクロトーム筐体４と面一で段差のない状態で接している。ミクロトーム筐体４と収集エレメント８の間に段差があっても使用者がこれにあたることなく、ハンドル操作を可能とすることから、収集エレメント８がミクロトーム筐体４に対して面一に接しているのは特に有利である。試料交換時のミクロトームまたは回転式ミクロトーム１の清浄化特性を大きく改善するために、最低数の締め付けエレメントおよび操作エレメントを内側収集エレメント８に設けるときに注意が払われてきた。例えば、ナイフホルダ６は、側壁１８ｂに設けられたクランプレバー１０ｃによって外側から締め付けられる。このクランプレバーだと、収集エレメント８またはナイフホルダ６にあるその他の試料による残渣汚染を排除するために清浄にする必要がないことから、試料交換に関して非常に有利である。ミクロトーム筐体４は、例えば、使用者が一時的に試料を置く堆積表面４ａを有している。
【００１８】
図３は、本発明による回転式ミクロトーム１の側面図である。試料ホルダ７が、ナイフホルダ６と対向してミクロトーム筐体４に設けられている。ナイフ支持エレメント２６は、六角ソケットねじ２５を用いて、ナイフホルダ６に対して角位置で、適所に固定または留められている。第１のクランプレバー１０ａは、ナイフ支持エレメント２６に対してナイフキャリッジ２８を留める機能を果たす。第２のナイフクランプレバー１０ｂは、ナイフ２７を留める機能を果たす。ナイフホルダ６は、クランプレバー１０ｃにより固定でき、クランプレバー１０ｃは、収集エレメント８の外側側壁１８ｂに設けられている。
【００１９】
図４は、回転式ミクロトーム１の正面図である。図３および４から明らかなように、マイクロトーム筐体４は、角部や端部なしで実現されているため、ミクロトーム筐体４全体の清浄化がかなり促される。ナイフホルダ６は、２つの平行なレールエレメント９に導かれて、第３のクランプレバー１０ｃにより留めたり固定することができる。この実施形態では、外側側壁１８ｂに設けられている。様々なクランプレバー１０ａ、１０ｂおよび１０ｃは、これらを用いたときにクランプレバー１０ａ、１０ｂおよび１０ｃがぶつからないように配置されている。ナイフ２７を留めるのに設けられた第２のクランプレバー１０ｂは、正面図において収集エレメント８の中心軸をほぼ表す軸４０に近接して配置されている。第１のクランプレバー１０ａは第２のクランプレバー１０ｂに沿っており、軸４０から第２のクランプレバー１０ｂよりもさらに離れた位置にある。外側側壁１８ａ、外側側壁１８ｂおよび外側前壁２０は、第１の外側側壁１８ａおよび第２の外側側壁１８ｂが軸４０に向かって延在するような寸法となっている。すなわち、収集エレメント８は、試料ホルダ７とは逆に配置された外側前壁２０の方向にテーパがついている。回転式ミクロトーム１の操作時に、使用者が人間工学的な手の位置をとることができるため、これもまた特に有利である。さらに、テーパのついた収集エレメント８はまた、回転式ミクロトーム１に対する設置面積に必要なスペースも減じる。回転式ミクロトーム１の基部領域から突出している唯一のエレメントは、ハンドル５に設けられた作動エレメント５ａである。
【００２０】
図５は、収集エレメント８の構成および回転式ミクロトーム１の基部２への収集エレメント８の取り付けを示すために、収集エレメント８のいくつかの部分を省いた回転式ミクロトーム１の正面図である。基部２には、ナイフホルダ６の下に周辺段差２ａがある。周辺段差２ａは、第１または第２の内側側壁１４ａまたは１４ｂ、および内部前壁１６の厚さ以上の幅を有するような寸法である。基部２の周囲段差２ａによって、過剰の切片や、試料のトリミングや初期の切断による廃棄物が収集エレメント８に完全に落ちる。その結果、回転式ミクロトーム１のいずれの角部や端部においても汚染は生じない。図５にまた、収集エレメント８の物理的構造も示す。収集エレメント８の断面によれば、それは明らかに二重のＵ断面から構築されている。二重のＵ断面の第１の部分は、外側Ｕ３１ａおよび内側Ｕ３１ｂを備えている。外側Ｕ３１ａおよび内側Ｕ３１ｂは互いに１８０°回転した配置である。内側Ｕ３１ｂは、内側側壁１４ａおよび内側外側側壁１７ａでできており、両者とも底部１２により互いに接合されている。外側Ｕ３１ａは、外側内側側壁１７ａおよび外側側壁１８ａでできており、両者とも狭いリム３２により互いに接合されている。収集エレメント８全体は、この外観構造から構築されている。基部２は、内側前壁１６の対応の対向エレメントと相互作用する少なくとも２つの磁石３４を、逆の内側前壁１６の逆にある側に有している（図６参照）。第３のクランプレバー１０ｃは、外側側壁１８ａまたは１８ｂに設けられ、機械的な結合２４を介してその動作をナイフホルダ６へ伝えるように働く。収集エレメント８の底部１２は、機械的な結合２４をカバーし、それを、試料調製中の試料断片やトリミングした断片による汚染の可能性から保護するような構成となっている。
【００２１】
図６は、ナイフホルダ６と、ミクロトーム筐体４の基部２にある収集エレメント８の配置のより詳細な図である。収集エレメント８をミクロトーム筐体４の基部２に装着すると、内側前壁１６が磁石３４を有する基部２の壁に接する。基部２に設けられた磁石３４が内側前壁１６に装着された対応の磁性化可能なエレメント３６と相互作用して、磁石による係合がなされる。機械的な結合２４の領域では、収集エレメント８の底部１２が隆起部２２へと成形されている。機械的な結合２４が、隆起部２２下に導かれ、試料断片による汚染から保護される。ナイフ支持エレメント２６には、角度スケール３８が設けられ、これは、ナイフ２７の傾きのインジケータとして機能する。ナイフ２７の傾きは、ナイフ支持エレメント２６により調整することができ、無制限調整が可能で、ナイフホルダ６に配置された六角ソケットねじ２５によりナイフ支持エレメント２６が固定できる。既に何回か述べた通り、ナイフホルダ６はレールエレメント９に変位可能に配置されている。ナイフホルダ６の固定は、第３のクランプレバー１０ｃによりなされ、これは、機械的な結合２４を介してナイフホルダ６と相互作用する。
【００２２】
図７は、収集エレメント８の斜視図である。既に何回か述べた通り、収集エレメント８はＵ形である。本実施形態において、収集エレメント８は、第１の内側側壁１４ａ、内側前壁１６および第２の内側側壁１４ｂから実質的に構成されており、底部１２を介して、それぞれ、外側側壁１８ａ、外側前壁２０および外側側壁１８ｂに接合されている。簡略化のために、収集エレメント８の二重Ｕ形断面の記載はここでは省いてある。底部１２は、外側前壁２０の逆にある側で、それぞれの輪郭表面３９へと続いており、基部２の対応の構成に適応している。底部１２と外側側壁１８ｂまたは外側側壁１８ａまたは外側前壁２０の間の移行部にはフィレット３０が設けられている。フィレット３０は、底部１２の移行部で、内側側壁１４ａ、内側前壁１６および内側側壁１４ｂに対して同じように構成されている。フィレットはまた、内側側壁１４ａが前壁１６と当接している、または内側側壁１４ｂが前壁１６と当接している位置にも設けられる。さらにフィレット３０は、外側側壁１８ａと外側前壁２０、そして外側側壁１８ｂと外側前壁２０の接触点にも設けられる。収集エレメント８の底部１２に構成されるのは隆起部２２であり、図５で既に説明したように、この下で機械的な結合２４が導かれる。収集エレメント８は、全ての角部および端部にフィレット３０を備えている。これには、試料断片の堆積物が角部か端部のいずれにおいても形成されないという重要な利点がある。フィレット３０を備えた収集エレメント８の構成はさらに、清浄化を大幅に促進する。さらに、角部および端部がないと、収集エレメント８での使用者のケガの危険性がかなり減る。
【００２３】
図８に、収集エレメント８の更なる実施形態に接合された回転式ミクロトーム１の斜視図を示す。簡略化のために、図１のものと同じ構成要素については同じ参照文字を用いている。回転式ミクロトーム１は、実質的に、基部２と基部に設けられたミクロトーム筐体４とを備えている。ナイフホルダ６（ここでは省いてある）が基部２に配置されている。基部２に設けられているのは、２つのレールエレメント９であり、試料ホルダ７に対する距離に関してナイフホルダは修正可能である。ナイフホルダ６は収集エレメント８に囲まれている。収集エレメント８は、ナイフホルダの左と右にそれぞれ凹部４２を有しており、ミクロトーム筐体４と基部２を段差なしでつないでいる。少なくとも１つのクランプレバー１０ｃを収集エレメント８の側壁に設けると、これが機械的な結合２４を介してナイフホルダ６と相互作用する。ナイフホルダ６は、このレバー１０ｃによって基部２に対して留められている。
【００２４】
図９は、図８のミクロトーム筐体４と連関した実施形態における収集エレメント８の斜視図である。収集エレメント８には２つの凹部４２があり、これらは、収集エレメント８がミクロトームに接合されると、ナイフホルダ６の右と左に配置される。本実施形態において、収集エレメント８は、第１の内側側壁１４ａ、内側前壁１６および第２の内側側壁１４ｂから実質的に構成されており、底部１２を介して、それぞれ、外側側壁１８ａおよび外側側壁１８ｂに接合されている。底部１２は、前壁１６の逆にある側で、それぞれの輪郭表面３９へと続いており、基部２の対応の構成に適応している。底部１２と外側側壁１８ｂまたは外側側壁１８ａまたは前壁１６の間の移行部にはフィレット３０が設けられている。フィレット３０は、第１の内側側壁１４ａまたは第２の内側前壁１４ｂおよび底部１２の間の移行部で同じように構成されている。クランプレバー１０ｃからナイフホルダ６までの機械的な結合２４は収集エレメント８の底部１２の下に導かれる。本実施形態において、底部１２には隆起部２２があり、図５で既に説明したように、この下で機械的な結合２４が導かれる。収集エレメント８は、全ての角部および端部にフィレット３０を備えている。これには、試料断片の堆積物が角部か端部のいずれにおいても形成されないという重要な利点がある。フィレット３０を備えた収集エレメント８の構成はさらに、清浄化を大幅に促進する。
【図面の簡単な説明】
【００２５】
【図１】ミクロトーム筐体に配置された受け皿を有する回転式ミクロトームの斜視図である。
【図２】切断廃棄物を収集するためにミクロトーム筐体に配置された収集エレメントを有する回転式ミクロトームの平面図である。
【図３】切断廃棄物を収集するためにミクロトーム筐体に配置された収集エレメントを有する回転式ミクロトームの側面図である。
【図４】切断廃棄物を収集するためにミクロトーム筐体に配置された収集エレメントを有する回転式ミクロトームの正面図である。
【図５】ナイフホルダへ取り付けられるクランプレバーの通路を示すために、ミクロトーム筐体に配置されている収集エレメントの一部を省略した、回転式ミクロトームの正面図である。
【図６】ミクロトーム筐体と切断廃棄物を収集するための収集エレメントとの間の保持エレメントの相互作用を示すために、収集エレメントのいくつかの部分を省略した、ナイフホルダ周囲の領域の拡大図である。
【図７】ミクロトーム筐体と連関可能な受け皿の斜視図である。
【図８】更なる実施形態における、ミクロトーム筐体に配置された収集エレメントを有する回転式ミクロトームの斜視図である。
【図９】図８に示すミクロトーム筐体と連関した実施形態における収集エレメントの斜視図である。
【符号の説明】
【００２６】
１  ミクロトーム
２  基部
２ａ  周辺段差
４  ミクロトーム筐体
４ａ  堆積表面
５  ハンドル
６  ナイフホルダ
７  試料ホルダ
８  収集エレメント
９  レールエレメント
１０ａ  クランプレバー
１０ｂ  クランプレバー
１０ｃ  クランプレバー
１２  底部
１４ａ  第１の内側側壁
１４ｂ  第２の内側側壁
１６  内側前壁
１７ａ  内側外側側壁
１８ａ  第１の外側側壁
１８ｂ  第２の外側側壁
２０  外側前壁
２２  隆起部
２４  機械的な結合
２５  六角ソケットねじ
２６  ナイフ支持エレメント
２７  ナイフ
２８  ナイフキャリッジ
３０  フィレット
３１ａ  外側Ｕ
３１ｂ  内側Ｕ
３２  リム
３４  磁石
３６  磁性化可能なエレメント
３８  角度スケール
３９  輪郭表面
４０  軸
４２  凹部
【図１】
2004317508.tif 000003
【図２】
2004317508.tif 000004
【図３】
2004317508.tif 000005
【図４】
2004317508.tif 000006
【図５】
2004317508.tif 000007
【図６】
2004317508.tif 000008
【図７】
2004317508.tif 000009
【図８】
2004317508.tif 000010
【図９】
2004317508.tif 000011